(57)【要約】【課題】かご室内の人物がカメラに背を向けているときであっても、その人物を特定する判断材料を付加させることができるエレベータを得る。【解決手段】かご床１ａを有したかご室１と、かご室１内を撮影するカメラ２とを備えたエレベータにおいて、かご床１ａの上面に設けられ、かご室１内の乗客５を支持するとともに、乗客５からの圧力を用いて、乗客５の接触面の形状を検出するシート形状の圧力センサ６と、カメラ２が撮影した映像を記憶するとともに、圧力センサ６が検出した乗客の接触面の形状を、乗客５の映像と同期させて記憶するデータ収集機８とを備えている。【選択図】図２
2010155658.tif 000002
【特許請求の範囲】
【請求項１】
かご床を有したかご室と、
前記かご室内を撮影するカメラとを備えたエレベータにおいて、
前記かご床の上面に設けられ、前記かご室内の積載体を支持するとともに、前記積載体からの圧力を用いて、前記積載体の接触面の形状を検出するシート形状の接触面形状検出手段と、
前記カメラが撮影した映像を記憶するとともに、前記接触面形状検出手段が検出した前記形状を前記映像と同期させて記憶する記憶手段とを備えたことを特徴とするエレベータ。
【請求項２】
前記接触面形状検出手段の上面に設けられ、前記接触面形状検出手段を保護する変形可能な保護シートをさらに備えたことを特徴とする請求項１に記載のエレベータ。
【発明の詳細な説明】
【技術分野】
【０００１】
この発明は、かご室と、このかご室内を撮影するカメラとを備えたエレベータに関する。
【背景技術】
【０００２】
従来、かご室と、このかご室に設けられ、かご室内を撮影するカメラとを備え、かご室内で発生した犯罪の状況等をカメラで撮影し、撮影された映像を録画装置が記録するエレベータが知られている（例えば、特許文献１参照）。
【０００３】
【特許文献１】特開平９−２９０９７４号公報
【発明の開示】
【発明が解決しようとする課題】
【０００４】
しかしながら、このものの場合、かご室内の人物がカメラに背を向けているときには、その人物の顔等を撮影することができず、人物を特定する判断材料が減少してしまうという問題点があった。
【０００５】
この発明は、上述のような問題点を解決することを課題とするものであって、その目的は、かご室内の人物がカメラに背を向けているときであっても、その人物を特定する判断材料を付加させることができるエレベータを提供するものである。
【課題を解決するための手段】
【０００６】
この発明に係るエレベータは、かご床を有したかご室と、前記かご室内を撮影するカメラとを備えたエレベータにおいて、前記かご床の上面に設けられ、前記かご室内の乗客を支持するとともに、前記乗客からの圧力を用いて、前記乗客の接触面の形状を検出するシート形状の接触面形状検出手段と、前記カメラが撮影した映像を記憶するとともに、前記接触面形状検出手段が検出した前記形状を前記映像と同期させて記憶する記憶手段とを備えている。
【発明の効果】
【０００７】
この発明に係るエレベータによれば、カメラが撮影したかご室内の映像と、接触面形状検出手段が検出した、接触面形状検出手段と接触した乗客の接触面の形状とを、記憶手段が同期して記憶することができるので、かご室内の人物がカメラに背を向けているときであっても、かご室内の乗客を特定する判断材料を付加させることができる。
【発明を実施するための最良の形態】
【０００８】
実施の形態１．
図１はこの実施の形態に係るエレベータのかご室１内を示す平断面図、図２は図１のかご室１を横方向から視た断面図、図３は図１のかご室１を正面から視た断面図である。
この実施の形態に係るエレベータは、かご床１ａを有したかご室１と、このかご室１の側壁１ｂに取り付けられ、かご室１内を撮影するカメラ２とを備えている。
扉３側の側壁１ｂには、かご室１の動作を操作する操作板４が取り付けられている。
カメラ２は、背面側の側壁１ｂの上端部側に配置されており、かご室１内の積載体である乗客５を斜め上方から撮影する。
なお、積載体は、乗客５に限らず、かご床１ａに積載された積載物であってもよい。
【０００９】
また、このエレベータは、かご床１ａの上面に全面に渡って貼り付けられたシート形状の接触面形状検出手段である圧力センサ６と、この圧力センサ６の上面に全面に渡って貼り付けられた保護シート７と、かご室１の天井１ｃの上部に取り付けられた記憶手段であるデータ収集機８とを備えている。
圧力センサ６は、かご室１内の乗客５を支持するとともに、乗客５からの圧力を用いて、圧力センサ６と接触した乗客５の接触面の形状を検出する。
なお、圧力センサ６は、例えば、圧電素子、静電容量等を用いた、どのようなセンサであってもよい。
保護シート７は、変形可能な材料から構成されており、乗客５からの押圧力を圧力センサ６に伝達するとともに、圧力センサ６を保護する。
カメラ２は、常時撮影しており、圧力センサ６は、常時検出可能となっている。
データ収集機８は、カメラ２が撮影した映像を記憶するとともに、圧力センサ６が検出した乗客５の接触面の形状を、乗客５の映像と同期させて記憶する。
なお、データ収集機８は、かご室１に限らず、例えば、昇降路に取り付けられてもよい。
【００１０】
次に、この実施の形態に係るエレベータの動作について説明する。
図４は図１のかご室１から乗客５が降りたときのかご室１内を示す平断面図に、圧力センサ６によって検出された乗客５の足跡９を示したものである。
まず、乗客５は、かご室１内に乗り込み、操作板４を介してかご室１を操作する。
かご室１が昇降を開始するときには、乗客５は、かご床１ａの上に静止して起立した状態となる。
このとき、カメラ２によって、乗客５の容姿が撮影され、さらに、圧力センサ６によって、乗客５の足跡９が検出される。
特に、かご室１の上昇が加速するときや、かご室１の降下が減速するときには、圧力センサ６には、乗客５の重量に加えて、加減速によって発生する力によって乗客５から押圧されるので、図４に示すように、乗客５の足跡９がより鮮明に検出される。
データ収集機８は、カメラ２によって撮影された映像および圧力センサ６によって検出された乗客５の足跡９の位置、大きさ、靴底の形状等を記憶する。
かご室１内の人物がカメラ２に背を向けているときには、カメラ２によってかご室１内の人物の顔を撮影することができないものの、乗客５の足跡９は、かご室１内の人物がカメラ２に背を向けているときであっても、乗客５の映像と同期してデータ収集機８に記憶されているので、乗客５を特定する判断材料を付加させることができる。
【００１１】
以上説明したように、この実施の形態に係るエレベータによれば、カメラ２が撮影したかご室１内の映像と、圧力センサ６が検出した、圧力センサ６と接触した乗客５の接触面の形状とを、データ収集機８が同期して記憶することができるので、かご室１内の人物がカメラ２に背を向けているときであっても、かご室１内の乗客５を特定する判断材料を付加させることができる。
【００１２】
また、圧力センサ６の上面には、圧力センサ６を保護する変形可能な保護シート７が貼り付けられているので、乗客５等によって、圧力センサ６が傷付けられることを抑制することができる。
【００１３】
なお、この実施の形態では、保護シート７を備えたエレベータについて説明したが、勿論このものに限らず、圧力センサ６が乗客５等から傷付けられない材料から構成されている場合には、保護シート７を備えないエレベータであってもよい。
【図面の簡単な説明】
【００１４】
【図１】この発明の実施の形態１に係るエレベータのかご室内を示す平断面図である。
【図２】図１のかご室を横方向から視た断面図である。
【図３】図１のかご室を正面から視た断面図である。
【図４】図１のかご室から乗客が降りたときのかご室内を示す平断面図に、圧力センサによって検出された乗客の足跡を示したものである。
【符号の説明】
【００１５】
１  かご室、１ａ  かご床、１ｂ  側壁、１ｃ  天井、２  カメラ、３  扉、４  操作板、５  乗客（積載体）、６  圧力センサ（接触面形状検出手段）、７  保護シート、８  データ収集機（記憶手段）、９  足跡。
【図１】
2010155658.tif 000003
【図２】
2010155658.tif 000004
【図３】
2010155658.tif 000005
【図４】
2010155658.tif 000006